(57)【要約】【課題】遠隔地に設置した遠隔監視計算機のプログラム不具合等を遠隔地のユーザーの了解のもと、安全かつ迅速に変更することができるようにした高信頼性のリモートメンテナンス方法およびその装置を提供する。【解決手段】遠隔監視計算機１のプログラムの変更を行う際に当事者以外のアクセスを禁ずるために、リモ−トメンテナンス計算機２からのアクセスを許可するリモ−トメンテナンスパスワ−ド入力部１９と、リモ−トメンテナンス可否判定部２１をリモ−トメンテナンス計算機２内の設け、遠隔監視計算機１からのアクセスを許可するリモ−トアクセスパスワ−ド入力部１２と、リモ−トメンテナンス許可部１４とを遠隔監視計算機１内に設け、リモ−トメンテナンスパスワ−ドとリモ−トアクセスパスワ−ドが照合され変更アクセスがリモ−トメンテナンス可否判定部２１およびリモ−トメンテナンス許可部１４にて許可された場合に、リモ−トメンテナンス計算機２から遠隔監視計算機１にアクセスし、変更プログラムをダウンロ−ドしてプログラムの変更を行う。【選択図】        図１
2004164048.tif 000002
【特許請求の範囲】
【請求項１】
リモートメンテナンス計算機と遠隔監視計算機とを通信ネットワークを介して接続し、上記リモートメンテナンス計算機から上記遠隔監視計算機のプログラムを変更するリモートメンテナンス方法において、上記リモートメンテナンス計算機からのリモートメンテナンスパスワードを上記リモートメンテナンス計算機内のリモートメンテナンス可否判定部で照合判定してメンテナンスを許可し、上記遠隔監視計算機からのリモートアクセスパスワードを上記遠隔監視計算機内に設けたリモートメンテナンス許可部で照合判定してアクセスを許可し、互いにおけるこの許可後、上記リモートメンテナンス計算機から上記遠隔監視計算機に変更プログラムをダウンロードすることを特徴とするリモートメンテナンス方法。
【請求項２】
リモートメンテナンス計算機と遠隔監視計算機とを通信ネットワークを介して接続し、上記リモートメンテナンス計算機から上記遠隔監視計算機のプログラムを変更するリモートメンテナンス装置において、上記リモートメンテナンス計算機からのメンテナンスを許可するリモートメンテナンスパスワードを入力するリモートメンテナンスパスワード入力部と、リモートメンテナンスパスワードを照合判定して許可するリモートメンテナンス可否判定部とを上記リモートメンテナンス計算機内の設け、遠隔監視計算機からのアクセスを許可するリモートアクセスパスワードを入力するリモートアクセスパスワード入力部と、上記リモートアクセスパスワードを照合判定して許可するリモートメンテナンス許可部とを上記遠隔監視計算機内に設け、上記リモートメンテナンスパスワードおよび上記リモートアクセスパスワードを上記リモートメンテナンス可否判定部および上記リモートメンテナンス許可部にてそれぞれ照合判定され許可されたとき、上記リモートメンテナンス計算機から上記遠隔監視計算機に変更プログラムをダウンロードする変更プログラムダウンロード部とを備えたことを特徴とするリモートメンテナンス装置。
【発明の詳細な説明】
【０００１】
【発明の属する技術分野】
本発明は、風力発電所の受電設備等のように遠隔地の遠隔監視計算機のリモートメンテナンスをリモートメンテナンス計算機から行うリモートメンテナンス方法およびその装置に関する。
【０００２】
【従来の技術】
従来のリモートメンテナンス装置として、図３に示すようなバージョンアップの必要性を通知するものが知られている。遠隔地に設置した遠隔監視計算機１のプログラム機能に不具合が発見された場合、リモートメンテナンス計算機２は遠隔監視計算機制御部２ａによりネットワーク３を介して遠隔監視計算機１のプログラム格納部１ｂの旧プログラムの内容を確認し、プログラムの変更の要否を検討する。その結果、プログラムの変更が必要と判断した場合、遠隔監視計算機制御部２ａによりネットワーク３を介して遠隔監視計算機１のプログラム格納部１ｂに新プログラムの内容を格納し、旧プログラムと入れ替えるようにしていた（例えば、特許文献１参照）。
【０００３】
【特許文献１】
特開平６−１３１１６３号公報
【０００４】
【発明が解決しようとする課題】
しかしながら、従来のリーモートメンテナンス装置は、遠隔監視計算機１のプログラム機能に不具合を発見した場合、遠隔監視計算機１に監視対象プロセスを接続した遠隔地ユーザーの了解を得ることなく、メーカーはリモートメンテナンス計算機２側から変更するため、監視制御対象プロセスに混乱をきたしてしまう。また、この変更を安全に行うためにメーカー側作業者が遠隔地の現地に乗り込み、現地顧客に説明の上、現地でプログラムを変更するようにすると、システムのダウンタイム等が長引くことになり、システムの信頼性が低下するという問題があった。
【０００５】
本発明の目的は、遠隔地に設置した遠隔監視計算機のプログラム不具合等を遠隔地のユーザーの了解のもと、安全かつ迅速に変更することができるようにした高信頼性のリモートメンテナンス方法およびその装置を提供するものである。
【０００６】
【課題を解決するための手段】
本発明は上記目的を達成するために、リモートメンテナンス計算機と遠隔監視計算機とを通信ネットワークを介して接続し、上記リモートメンテナンス計算機から上記遠隔監視計算機のプログラムを変更するリモートメンテナンス方法において、上記リモートメンテナンス計算機からのリモートメンテナンスパスワードを上記リモートメンテナンス計算機内のリモートメンテナンス可否判定部で照合判定してメンテナンスを許可し、上記遠隔監視計算機からのリモートアクセスパスワードを上記遠隔監視計算機内に設けたリモートメンテナンス許可部で照合判定してアクセスを許可し、互いにおけるこの許可後、上記リモートメンテナンス計算機から上記遠隔監視計算機に変更プログラムをダウンロードすることを特徴とする。
【０００７】
また本発明は上記目的を達成するために、リモートメンテナンス計算機と遠隔監視計算機とを通信ネットワークを介して接続し、上記リモートメンテナンス計算機から上記遠隔監視計算機のプログラムを変更するリモートメンテナンス装置において、上記リモートメンテナンス計算機からのメンテナンスを許可するリモートメンテナンスパスワードを入力するリモートメンテナンスパスワード入力部と、リモートメンテナンスパスワードを照合判定して許可するリモートメンテナンス可否判定部とを上記リモートメンテナンス計算機内の設け、遠隔監視計算機からのアクセスを許可するリモートアクセスパスワードを入力するリモートアクセスパスワード入力部と、上記リモートアクセスパスワードを照合判定して許可するリモートメンテナンス許可部とを上記遠隔監視計算機内に設け、上記リモートメンテナンスパスワードおよび上記リモートアクセスパスワードを上記リモートメンテナンス可否判定部および上記リモートメンテナンス許可部にてそれぞれ照合判定され許可されたとき、上記リモートメンテナンス計算機から上記遠隔監視計算機に変更プログラムをダウンロードする変更プログラムダウンロード部とを備えたことを特徴とする。
【０００８】
本発明によるリモートメンテナンス方法およびその装置は、リモートメンテナンス計算機により遠隔地に設置した遠隔監視計算機のプログラム不具合等の理由から変更を行なう場合、遠隔監視計算機がこの変更を了解するインターロックとしてリモートアクセスを許可するリモートアクセスパスワードを入力し、リモートメンテナンス計算機が了解のインターロックとしてリモートメンテナンスを許可するリモートメンテナンスパスワード入力し、両者のパスワードがそれぞれリモートメンテナンス許可部およびリモートメンテナンス可否判定部で正しいと照合判定されたときのみ変更処理を実施できるようにしたため、互いにこの変更を了承している本人であることを確認した後、遠隔地に設置した遠隔監視計算機の設置場所まで移動することなく安全に迅速にプログラム変更を行うことができ、またプログラム不具合時などにおけるシステムのダウンタイム等を最小限に抑えることができるのでシステムの信頼性が向上する。
【０００９】
【発明の実施の形態】
以下、本発明の実施の形態を図面に基づいて説明する。
図１は、本発明の一実施の形態によるリモートメンテナンス装置を示すブロック構成図である。
遠隔監視計算機１は、通信回線等の通信ネットワーク３を介してリモートメンテナンス計算機２に接続されている。遠隔監視計算機１は、風力発電所における受電設備等の遠隔監視対称プロセス４のプロセス信号を取り込み監視制御するもので、遠隔監視計算機１においてリモートメンテナンスの許可を設定するリモートアクセス許可設定部１０と、メンテナンス対象となるプログラムを格納したプログラム格納部１１とを有している。リモートアクセス許可設定部１０の内部には、リモートアクセスを許可するリモートアクセスパスワード入力部１２と、入力したリモートアクセスパスワードを照合するリモートアクセスパスワード照合部１３と、リモートアクセス計算機２からのリモートメンテナンスを許可するリモートメンテナンス許可部１４と、リモートメンテンス計算機２からのリモートメンテナンス完了を判定するリモートメンテナンス完了待機部１５とを備えている。
【００１０】
リモートメンテナンス計算機２は、遠隔監視計算機１のプログラム格納部１１に格納したプログラムを遠隔でメンテナスするもので、遠隔監視計算機１にアクセスして制御する遠隔監視計算機アクセス制御部１６と、変更プログラムを格納する変更プログラム格納部１７とを備えている。遠隔監視計算機アクセス制御部１６の内部には、遠隔監視計算機１に接続する遠隔監視計算機接続部１８と、リモートメンテナンスを許可するリモートメンテナンスパスワード入力部１９と、入力したリモートメンテナンスパスワードを照合するリモートメンテナンスパスワード照合部２０と、遠隔監視計算機１においてリモートメンテナンスの許可が設定されているかを判定するリモートメンテナンス可否判定部２１と、遠隔監視計算機１において稼動中のプログラムを起動、停止およびファイル属性設定等の制御を行う遠隔監視計算機稼動プログラム制御部２２と、変更プログラムをリモートメンテナンス計算機２から遠隔監視計算機１へダウンロードする変更プログラムダウンロード部２３とを備えている。
【００１１】
次に、上述したリモートメンテナンス装置の動作を、図２に示したフローチャートを用いて説明する。
遠隔監視計算機１における稼動中のプログラムに不備があるなどの理由で変更する必要性がある場合、先ず、ユーザーは遠隔監視計算機１においてリモートメンテナンス計算機２からのリモートメンテンス許可を設定するために、リモートアクセス許可設定部１０を作動する。これは、ステップＳ１でリモートアクセスパスワード入力部１１からリートアクセスパスワードを入力することによって行う。
【００１２】
続くステップＳ２では、入力されたリモートアクセスパスワードをリモートアクセスパスワード照合部１２で照合し、その結果、リモートアクセスパスワードが照合されなかった場合、つまり、リモートアクセスパスワードからこのプログラムに対してリモートメンテナンスを行なうことを許可できるユーザーであると判断されなかった場合、リモートメンテナンス許可設定処理は停止となる。しかし、スッテプＳ２の照合の結果、リモートアクセスパスワードが認証された場合、ステップＳ３でリモートメンテナンス完了待機部１３は、リモートメンテナンスを許可するリモートメンテナンスフラグをＯＮ（許可）する。
【００１３】
この時点で、遠隔監視計算機１はリモートメンテナンス計算機２にリモートメンテナンスフラグがＯＮ状態であることを通知し、ステップＳ４でリモートメンテナンス計算機２側のリモートメンテナンス完了フラグがＯＮ（完了）の状態になるか否かを判定しながら、待機状態となる。
【００１４】
一方、メーカー側のリモートメンテナンス計算機２は、ステップＳ５で遠隔監視計算機接続制御部１８によって遠隔監視計算機１と接続状態にしており、ステップＳ６で上述したリモートメンテナンスフラグがＯＮ状態であることを遠隔監視計算機１から受信したかどうかを判定する待ち状態になっている。従って、ステップＳ３で遠隔監視計算機１からリモートメンテナンスフラグがＯＮ状態であることが受信されると、リモートメンテナンス計算機２のリモートアクセス可否判定部２１は、リモートメンテナンスパスワード入力部１９からのリモートメンテナンスパスワードの入力を許可する。
【００１５】
そこで、ステップＳ７でリモートメンテナンスパスワード入力部１９からリモートメンテナンスパスワードを入力する。この入力されたリモートメンテナンスパスワードは、ステップＳ８においてリモートメンテナンスパスワード照合部２０で照合され、このリモートメンテナンスを行う本人であることが認証された場合だけ次の操作に進むことができる。従って、リモートメンテナンスパスワードが認証されない場合、遠隔監視計算機アクセス制御部１６の処理を停止する。
【００１６】
このステップＳ８の判定で、リモートメンテナンスパスワードが認証された場合、ステップＳ９で遠隔監視計算機稼動プログラム制御部２２は、例えばＷｉｎｄｏｗｓ（登録商標）上の機能を用いて遠隔監視計算機１で稼動中のプログラムを停止し、ステップＳ１０でプログラムファイルの属性を書込み可能に変更する。その後、ステップＳ１１で変更プログラムダウンロード部２３は、変更プログラム格納部１７に格納された変更プログラムを通信ネットワーク３を経由して遠隔監視計算機１のプログラム格納部１１にダウンロードし、メンテナンス対象プログラムに複写する。続いて、ステップＳ１２で遠隔監視計算機稼動プログラム制御部２２は、プログラムファイル属性を書込み禁止に設定し、ステップＳ１３で変更されたメンテナンス対象プログラムを起動する。この結果、遠隔監視計算機１のメンテナンス対象プログラムは変更され、変更された内容で稼動することになる。
【００１７】
その後、リモートメンテナンス計算機２は、ステップＳ１４でリモートメンテナンスの完了を遠隔監視計算機１に通知するため、リモートメンテナンス完了フラグにＯＮ（完了）を設定し、ステップＳ１５で遠隔監視計算機１との接続を解除する。
【００１８】
一方、リモートメンテナンス完了フラグのＯＮ状態信号を受信した遠隔監視計算機１は、ステップＳ４でこの状態を判定してリモートメンテナンス完了待機状態を終了し、ステップＳ１６に進み、リモートメンテナンス計算機２からのその後のリモートメンテナンスを禁止するために、リモートメンテナンスフラグにＯＦＦ（禁止）を設定し、また、次回のリモートメンテナンスを考慮してステップＳ１７でリモートメンテナンス完了フラグをＯＦＦに設定する。
【００１９】
このようなリモートメンテナンス方法およびその装置によれば、リモートメンテナンス計算機２により遠隔地に設置した遠隔監視計算機１のプログラム不具合等の理由から変更を行なう場合、遠隔地のユーザーがこの変更を了解するインターロックとしてリモートアクセスを許可するリモートアクセスパスワード入力し、メーカー側のリモートメンテナンス計算機２が了解のインターロックとしてリモートメンテナンスを許可するリモートメンテナンスパスワード入力し、両者のパスワードがリモートメンテナンス許可部１５およびリモートメンテナンス可否判定部２１でそれぞれ正しいと照合判定されたときのみ変更処理を実施できるようにしたため、互いにこの変更を了解している本人であることを確認することができ、遠隔地に設置した遠隔監視計算機１の設置場所まで移動することなく安全に迅速にプログラム変更を行うことができ、またプログラム不具合時などにおけるシステムのダウンタイム等を最小限に抑えることができるのでシステムの信頼性が向上する。
【００２０】
尚、上述した実施の形態では、リモートメンテナンス計算機２と遠隔地に設置した遠隔監視計算機１が１：１の場合のリモートメンテナンス方法およびその装置について説明したが、リモートメンテナンス計算機２と遠隔監視計算機１がＭ：Ｎの場合や、ユーザーが遠隔地の遠隔監視計算機１へ通信ネットワーク３を介してリモートアクセスする場合も、両者のパスワードが正しいと照合判定された場合にのみ実施可能とすることにより、遠隔地の遠隔監視計算機の設置場所まで移動することなく安全に迅速にプログラム変更を行うことができる。
【００２１】
【発明の効果】
以上説明したように本発明のリモートメンテナンス方法およびその装置は、リモートメンテナンス計算機により遠隔地に設置した遠隔監視計算機のプログラム不具合等による変更を、遠隔地のユーザーおよびリモ−トメンテナンス者の了解のもとに安全に迅速に行うことができ、このときのシステムのダウンタイム等を最小限に抑えることができるのでシステムの信頼性が向上する。
【図面の簡単な説明】
【図１】本発明の一実施の形態によるリモートメンテナンス装置を示すブロック構成図である。
【図２】本発明の一実施の形態によるリモートメンテナンス方法を示すフローチャートである。
【図３】従来のリモ−トメンテナンス装置を示すブロック構成図である。
【符号の説明】
１０  リモートアクセス許可設定部
１２  リモートアクセスパスワード入力部
１３  モートアクセスパスワード照合部
１４  リモートメンテナンス許可部
１６  遠隔監視計算機アクセス制御
１８  遠隔監視計算機接続部
１９  リモートメンテナンスパスワード入力部
２０  リモートメンテナンスパスワード照合部
２１  リモートメンテナンス可否判定部
２２  遠隔監視計算機可動プログラム制御部
２３  変更プログラムダウンロード部
【図１】
2004164048.tif 000003
【図２】
2004164048.tif 000004
【図３】
2004164048.tif 000005